(57)【要約】【課題】  別途作製された１対の片部を正極端子に脱着可能に結合させることにより、作製と組立が単純であり、作業性の向上と生産速度の増大を図ることができ、量産が可能なＰＴＣヒータ用インシュレータを提供すること。【解決手段】  正極端子の一側面の一部が露出する露出孔が形成される第１の片部と、正極端子の他側面の一部が露出する露出孔が形成され、第１の片部に脱着可能に結合される第２の片部とを備え、第１及び第２の片部の互いに対面する面には、複数の第１のガイド突起、及びそれに対応する第１のガイド溝が、各片部の長手方向に沿って形成され、第１のガイド突起及び第１のガイド溝に対応する位置の正極端子には、第１のガイド突起が通過する貫通溝が形成される。【選択図】  図２Ｂ
2007142412.tif 000002
【特許請求の範囲】
【請求項１】
正極端子を取り囲むＰＴＣヒータ用インシュレータにおいて、
正極端子の一側面の一部が露出する露出孔が形成される第１の片部と、正極端子の他側面の一部が露出する露出孔が形成され、第１の片部に脱着可能に結合される第２の片部とを備えることを特徴とする、前記ＰＴＣヒータ用インシュレータ。
【請求項２】
第１及び第２の片部の互いに対面する面には、複数の第１のガイド突起及びそれに対応する第１のガイド溝が、各片部の長手方向に沿って形成され、第１のガイド突起及び第１のガイド溝に対応する位置の正極端子には、第１のガイド突起が通過する貫通溝が形成されることを特徴とする、請求項１に記載のＰＴＣヒータ用インシュレータ。
【請求項３】
第１及び第２の片部の少なくとも一端には拡大部が形成され、拡大部の互いに対面する面には、第２のガイド突起とそれに対応する第２のガイド溝がさらに形成されることを特徴とする、請求項２に記載のＰＴＣヒータ用インシュレータ。
【請求項４】
第１のガイド突起及び第１のガイド溝は、各片部の両側端において互いに向かい合うように形成され、向かい合う１対の第１のガイド突起の離隔距離は、露出孔の幅よりも短く形成されることを特徴とする、請求項２に記載のＰＴＣヒータ用インシュレータ。
【請求項５】
第１及び第２の片部の少なくとも一端の互いに対面する面の中央には、第３のガイド突起と、それに対応する第３のガイド溝が形成され、第３のガイド突起及び第３のガイド溝に対応する位置の正極端子には、第３のガイド突起が通過する貫通孔がさらに形成されることを特徴とする、請求項２または３に記載のＰＴＣヒータ用インシュレータ。
【請求項６】
拡大部には、ガス排出孔が設けられることを特徴とする、請求項５に記載のＰＴＣヒータ用インシュレータ。
【請求項７】
露出孔が、各片部の長手方向に沿って複数形成され、隣接する露出孔間には、ガス排出孔が設けられることを特徴とする、請求項１〜６のいずれかに記載のＰＴＣヒータ用インシュレータ。
【発明の詳細な説明】
【技術分野】
【０００１】
本発明は、ＰＴＣロッド組立体に設けられるインシュレータに関し、より詳しくは、１対となり、正極端子に脱着可能に結合されるＰＴＣヒータ用インシュレータに関する。
【背景技術】
【０００２】
一般の車両には、室内の暖房や車両の前面ガラスの除湿または除霜のために、エンジンで発生する熱により温まった冷却水の熱エネルギーを用いる暖房装置が設けられている。
このような暖房装置は、エンジン稼動の後、エンジンの周囲を流れる冷却水が暖房機に流入されることから、冷却水が、一旦加熱され、室内が暖房されるまでは、長時間がかかるしかなかった。これにより、始動後一定の時間は、寒い状態で耐えなければならないという問題点があった。
この問題点を解決するために、従来、ＰＴＣ（Ｐｏｓｉｔｉｖｅ Ｔｅｍｐｅｒａｔｕｒｅ Ｃｏｅｆｆｉｃｉｅｎｔ）素子等のセラミック加熱要素を収容するための装置が、出願されたことがある。
【０００３】
図１（Ａ）は、従来技術によるＰＴＣロッド組立体の斜視図であり、図１（Ｂ）は、図図１（Ａ）に示すＰＴＣロッド組立体の分解斜視図である。
図示のように、従来技術によるＰＴＣロッド組立体１は、チャネル状に長く形成される第１のＰＴＣロッド１０と、第１のＰＴＣロッド１０の開放部を覆って結合される第２のＰＴＣロッド２０と、第１のＰＴＣロッド１０と接触しないように、インシュレータ３０により取り囲まれ、第１のＰＴＣロッド１０の内部に位置される正極（＋）端子４０と、正極端子４０と第２のＰＴＣロッド２０との間に結合されるＰＴＣ素子５０と、熱伝導率の高い材質で作製され、正極端子４０の他側面に接触して結合される伝熱ブロック６０と、を備えている。
【０００４】
前記ＰＴＣ素子５０は、その一側面が正極端子４０に接触され、他側面が負極（−）端子の役割をする第２のＰＴＣロッド２０に接触して結合され、電源が印加されると、発熱するように構成される。この際、第１のＰＴＣロッド１０と第２のＰＴＣロッド２０は、相互接触して結合されるので、第２のＰＴＣロッド２０のみならず、第１のＰＴＣロッド１０もまた負極端子の役割をする。
また、インシュレータ３０の両端には、第１のＰＴＣロッド１０と第２のＰＴＣロッド２０が結合されたとき、第１のＰＴＣロッド１０及び第２のＰＴＣロッド２０の内側面に密着される拡大部３２、３４が形成される。したがって、第１のＰＴＣロッド１０及び第２のＰＴＣロッド２０により形成される内部空間は、前記拡大部３２、３４により密封される。
【０００５】
このような通常のインシュレータ３０は、インシュレータ３０の接合性と強度を増大させるために、インサート（正極端子、４０）の周囲に絶縁性を有する素材を射出して作製するインサート射出工法により作製される。すなわち、インシュレータ３０のインサート射出工法は、金型を用意し、その内部に正極端子４０を位置させた後、その周囲にインシュレータ３０を射出して作製される。したがって、従来のインシュレータ３０は、種々のステップを経て作製されるので、作製過程が複雑であり、作業性が落ちるという短所があった。また、作製が複雑であり、生産速度も低下するので、量産が容易ではないという問題点も抱えている。
【発明の開示】
【発明が解決しようとする課題】
【０００６】
本発明は、上記問題点に鑑みなされたものであり、別途作製された１対の片部を正極端子に脱着可能に結合させることにより、作製と組立が単純であり、作業性の向上と生産速度の増大を図ることができ、量産が可能なＰＴＣヒータ用インシュレータを提供することを目的とする。
【課題を解決するための手段】
【０００７】
上記の目的を達成するため、本発明に係るＰＴＣヒータ用インシュレータは、正極端子の一側面の一部が露出する露出孔が形成される第１の片部と、前記正極端子の他側面の一部が露出する露出孔が形成され、第１の片部に脱着可能に結合される第２の片部と、を備えることを特徴とする。
この際、前記第１及び第２の片部の互いに対面する面には、複数のガイド突起、及びそれに対応するガイド溝が、各片部の長手方向に沿って形成され、前記ガイド突起及びガイド溝に対応する位置の正極端子には、前記ガイド突起が通過する貫通溝が形成されている。
【０００８】
すなわち、本発明は、正極端子を取り囲むＰＴＣヒータ用インシュレータにおいて、
正極端子の一側面の一部が露出する露出孔が形成される第１の片部と、正極端子の他側面の一部が露出する露出孔が形成され、第１の片部に脱着可能に結合される第２の片部とを備えることを特徴とする、前記ＰＴＣヒータ用インシュレータに関する。
また、本発明は、第１及び第２の片部の互いに対面する面には、複数の第１のガイド突起及びそれに対応する第１のガイド溝が、各片部の長手方向に沿って形成され、第１のガイド突起及び第１のガイド溝に対応する位置の正極端子には、第１のガイド突起が通過する貫通溝が形成されることを特徴とする、前記ＰＴＣヒータ用インシュレータに関する。
さらに、本発明は、第１及び第２の片部の少なくとも一端には拡大部が形成され、拡大部の互いに対面する面には、第２のガイド突起とそれに対応する第２のガイド溝がさらに形成されることを特徴とする、前記ＰＴＣヒータ用インシュレータに関する。
【０００９】
また、本発明は、第１のガイド突起及び第１のガイド溝は、各片部の両側端において互いに向かい合うように形成され、向かい合う１対の第１のガイド突起の離隔距離は、露出孔の幅よりも短く形成されることを特徴とする、前記ＰＴＣヒータ用インシュレータに関する。
さらに、本発明は、第１及び第２の片部の少なくとも一端の互いに対面する面の中央には、第３のガイド突起と、それに対応する第３のガイド溝が形成され、第３のガイド突起及び第３のガイド溝に対応する位置の正極端子には、第３のガイド突起が通過する貫通孔がさらに形成されることを特徴とする、前記ＰＴＣヒータ用インシュレータに関する。
【００１０】
また、本発明は、拡大部には、ガス排出孔が設けられることを特徴とする、前記ＰＴＣヒータ用インシュレータに関する。
さらに、本発明は、露出孔が、各片部の長手方向に沿って複数形成され、隣接する露出孔間には、ガス排出孔が設けられることを特徴とする、前記ＰＴＣヒータ用インシュレータに関する。
【発明の効果】
【００１１】
本発明によると、別途作製された１対の片部を備え、前記１対の片部を正極端子に脱着可能に結合させることにより、作製と組立が単純である。
また、作製と組立が単純であるので、作業性の向上と生産速度の増大を図ることができ、これにより量産が可能であるという長所を有する。
【発明を実施するための最良の形態】
【００１２】
以下、本発明の好ましい実施の形態を、添付図面に基づいて詳しく説明する。
図２（Ａ）は、本発明に係るＰＴＣヒータ用インシュレータの第１の実施の形態を示す斜視図であり、図２（Ｂ）は、前記図２（Ａ）に示す前記第１の実施の形態の分解斜視図である。
図２（Ａ）と図２（Ｂ）に示すように、本発明に係るＰＴＣヒータ用インシュレータ１００の第１の実施の形態は、正極端子２００の長手方向に長く形成され、正極端子２００を取り囲んで結合される１対の片部１１０、１２０からなり、前記１対の片部１１０、１２０は、前記正極端子２００の上面に結合される第１の片部１１０と、前記正極端子２００の下面に結合され、前記第１の片部１００と脱着可能に結合される第２の片部１２０とで構成される。
【００１３】
前記第１及び２の片部１１０、１２０の内部には、前記正極端子２００の上面と下面の一部が外部に露出する露出孔１１２、１２２が形成され、その両端には、第１及び第２の片部１１０、１２０の断面積よりも広く形成される拡大部１１４、１２４が設けられる。より詳述すると、前記露出孔１１２、１２２は、図示されていないＰＴＣ素子及び伝熱ブロックが収納されるように結合させるためのものである。また、前記拡大部１１４、１２４は、図示していないＰＴＣロッドを拡大部１１４、１２４間に収納させ、その結合位置を案内するためのものである。
この際、前記露出孔１１２、１２２のうち、前記第１の片部１１０に形成される露出孔１１２は、第１の片部１１０の長手方向に所定の長さを有して形成され、合計５個からなり、第１の片部１１０の長手方向に等間隔で離隔して配列される。すなわち、前記第１の片部１１０に形成された露出孔１１２は、合計５個であるので、ＰＴＣ素子または伝熱ブロックの個数も５個に限定される。
【００１４】
これに対して、前記第２の片部１２０に形成される露出孔１２２は、第２の片部１２０の長手方向に長く形成され、前記露出孔１２２の内側には、４対の第１のガイド突起１２６ａが第２の片部１２０の長手方向に等間隔で離隔して形成される。前記第１のガイド突起１２６ａは、前記第２の片部１２０の内側両端において互いに向かい合って形成される。すなわち、前記第２の片部１２０に形成される露出孔１２２は、前記４対の第１のガイド突起１２６ａにより、合計５個の領域に区画され、５個のＰＴＣ素子または伝熱ブロックがこれに結合される。
【００１５】
この際、前記第１のガイド突起１２６ａは、前記第２の片部１２０に形成された露出孔１２２を、複数の領域に区画し、ＰＴＣ素子または伝熱ブロックを第２の片部１２０に結合させるとともに、前記第１の片部１１０及び第２の片部１２０の結合の際に、相互結合させる結合手段として用いられる。また、向かい合う１対の第１のガイド突起１２６ａの離隔距離は、前記露出孔１２２の幅よりも短く形成され、前記露出孔を区画する別途の横木（図示せず）なしにも、ＰＴＣ素子または伝熱ブロックを収納することができるようにする。
【００１６】
これについてより詳述すると、前記第１のガイド突起１２６ａは、前記第２の片部１２０に形成された露出孔１２２の内側に突出して形成されるとともに、第２の片部１２０の上面に所定の高さで突出するように形成される。また、前記第１の片部１１０のうち、前記第２の片部１２０の第１のガイド突起１２６ａと対応する位置には、前記第１のガイド突起１２６ａが挿入可能な形状の第１のガイド溝１１６ａが形成される。したがって、前記第１の片部１１０及び第２の片部１２０の結合の際に、前記第１のガイド突起１２６ａの上端は、前記第１のガイド溝１１６ａに挿入され、結合される。この際、前記第１のガイド溝１１６ａと第１のガイド突起１２６ａは、前記第１及び第２の片部１１０、１２０の両側端に位置され、より正確には、前記隣接する露出孔１１２間に位置するようになる。
【００１７】
一方、前記第１の片部１１０と第２の片部１２０との間に位置される正極端子２００は、前記各片部１１０、１２０の長手方向と同一の方向に長く形成され、その一端には、所定の角度で折り曲げられたターミナル２０２が形成される。また、前記正極端子２００の両側端のうち、前記第１のガイド溝１１６ａ及び第１のガイド突起１２６ａに対応する位置には、前記第１のガイド突起１２６ａが通過可能に貫通溝２０６ａが形成されるが、これは、前記１対の片部１１０、１２０との結合の際に、その内部において正極端子２００が遊動することを防止するためのものである。
【００１８】
本実施の形態では、前記露出孔（より正確には、ＰＴＣ素子または伝熱ブロックが結合される領域）１１２、１２２の個数は、５個に限定されているが、これに限定されず、使用者の必要に応じて、より多くまたはより少なく形成して用いてもよい。また、本実施の形態では、前記第１のガイド溝１１６ａと第１のガイド突起１２６ａが、それぞれ前記第１の片部１１０と第２の片部１２０に形成されるようにしたが、これもまた、本実施の形態に限定されるものではない。また、本実施の形態の場合、前記第２の片部１２０に、一つの露出孔１２２を形成し、その内部に、前記第１のガイド突起１２６ａが形成されるようにしているが、向かい合う１対の第１のガイド突起１２６ａ間に横木を設け、前記露出孔１２２を数個に区画してもよい。
【００１９】
以下、このような構成された本実施の形態によるインシュレータ１００の第１の実施の形態の組立過程について説明する。
先ず、一端にターミナル２０２が形成された正極端子２００を用意し、その上部と下部にそれぞれ前記第１の片部１１０と第２の片部１２０を設けた後、正極端子２００が前記１対の片部１１０、１２０の内部に位置するように結合させる。この際、前記第２の片部１２０の第１のガイド突起１２６ａは、前記正極端子２００の貫通溝２０６ａを通過し、前記第１の片部１１０の第１のガイド溝１１６ａに挿入され、結合される。
このように組み立てられるインシュレータ１００は、別途作製される１対の片部１１０、１２０を用いて、正極端子２００を取り囲んで結合させることにより、インシュレータ１００の作製が容易であり、その組立が簡単であり、作業性の向上と生産速度の増大を図ることができる。
【００２０】
図３（Ａ）は、本発明に係るＰＴＣヒータ用インシュレータの第２の実施の形態を示す斜視図であり、図３（Ｂ）は、前記図３（Ａ）に示す前記第２の実施の形態の分解斜視図である。
図３（Ａ）と図３（Ｂ）に示すように、本発明に係るＰＴＣヒータ用インシュレータ１００の第２の実施の形態は、上述した第１の実施の形態と同様に、正極端子２００と、それを取り囲んで結合される１対の片部１１０、１２０とからなり、前記１対の片部１１０、１２０は、前記正極端子２００の上面に結合される第１の片部１１０と、前記正極端子２００の下面に結合され、前記第１の片部１００と脱着可能に結合される第２の片部１２０とで構成される。
ここで、上記した第２の実施の形態は、第１及び第２の片部１１０、１２０の両端に形成された拡大部１１４、１２４を除いては、前記第１の実施の形態と同一であるので、これについての詳細な説明は省略する。
【００２１】
前記第１及び２の片部１１０、１２０の内部には、前記正極端子２００の上面と下面の一部が外部に露出する露出孔１１２、１２２が形成され、その両端には、第１及び第２の片部１１０、１２０の断面積よりも広く形成される拡大部１１４、１２４が設けられる。
このうち、前記第２の片部１２０の露出孔１２２の内側には、突出した複数の第１のガイド突起１２６ａが、第２の片部の長手方向に等間隔で離隔して配列される。また、前記第１の片部１１０の両側端には、前記第１のガイド突起１２６ａと対応する位置に、第１のガイド突起１２６ａの上端が挿入可能に形成された第１のガイド溝１１６ａが形成される。また、前記第１のガイド溝１１６ａ及び第１のガイド突起１２６ａと対応する位置の正極端子２００には、前記第１のガイド突起１２６ａが通過する貫通溝２０６ａが形成される。
【００２２】
一方、前記第１及び第２の片部１１０、１２０の両端には、上述のように、拡大部１１４、１２４が設けられ、前記拡大部１１４、１２４の互いに対面する面には、第２のガイド突起１２６ｂと、それに対応する第２のガイド溝１１６ｂが形成される。換言すれば、前記第２の片部１２０の拡大部１２４の上面の両側端には、前記第１のガイド突起１２６ａと同一形状の第２のガイド突起１２６ｂが形成され、前記第１の片部１１０の拡大部１１４の下面の両側端には、前記第１のガイド溝１１６ａと同一形状の前記第２のガイド突起１２６ｂに対応する第２のガイド溝１１６ｂが形成される。したがって、前記第１及び第２の片部１１０、１２０の結合の際に、前記第２のガイド突起１２６ｂは、前記第２のガイド溝１１６ｂに挿入され、結合される。
この際、前記第２のガイド溝１１６ｂと第２のガイド突起１２６ｂは、前記正極端子２００の両側端よりもさらに外側に形成されるところ、正極端子２００の両側端には、貫通溝が形成されていない。
【００２３】
一方、前記第２の片部１２０の拡大部１２４の上面の中央には、上部に突出する第３のガイド突起１２６ｃが形成され、前記第１の片部１１０の拡大部１１４の下面の中央には、前記第３のガイド突起１２６ｃと対応する第３のガイド溝１１６ｃがさらに形成される。また、前記第３のガイド溝１１６ｃ及び第３のガイド突起１２６ｃと対応する位置の正極端子２００には、前記第３のガイド突起１２６ｃが貫通可能に貫通孔２０６ｃが形成される。したがって、前記第１及び第２の片部１１０、１２０の結合の際に、前記第３のガイド突起１２６ｃは、前記貫通孔２０６ｃを貫通し、前記第３のガイド溝１１６ｃに挿入され、結合される。
また、前記第３のガイド溝１１６ｃは、第１の片部１１０を貫通して形成され、第３のガイド突起１２６ｃは、第３のガイド溝１１６ｃを貫通して結合されるので、前記第１の片部１１０と第２の片部１２０の結合をより確実に行うことができる。
【００２４】
また、本実施の形態では、前記第２の片部１２０に一つの露出孔１２２を形成し、その内部に前記第１のガイド突起１２６ａが形成されているが、向かい合う１対の第１のガイド突起１２６ａ間に横木を形成し、前記露出孔１２２を複数個に区画することができる。
このように形成された本発明に係るＰＴＣヒータ用インシュレータ１００の第２の実施の形態は、前記第１のガイド溝１１６ａと第１のガイド突起１２６ａの他、第２及び第３のガイド溝１１６ｂ、１１６ｃ及び第２及び第３のガイド突起１２６ｂ、１２６ｃが、さらに形成されるので、正極端子２００に対するインシュレータ１００の接合性を増大させることができるという長所がある。
【００２５】
図４（Ａ）は、本発明に係るＰＴＣヒータ用インシュレータの第３の実施の形態を示す斜視図であり、図４（Ｂ）は、前記図４（Ａ）に示す前記第３の実施の形態の分解斜視図である。
図４（Ａ）と図４（Ｂ）に示すように、本発明に係るＰＴＣヒータ用インシュレータ１００の第３の実施の形態は、上述した第１の実施の形態と同様に、正極端子２００と、それを取り囲んで結合される１対の片部１１０、１２０とからなり、前記１対の片部１１０、１２０は、前記正極端子２００の上面に結合される第１の片部１１０と、前記正極端子２００の下面に結合され、前記第１の片部１００と脱着可能に結合される第２の片部１２０とで構成される。
前記第１及び２の片部１１０、１２０の内部には、前記正極端子２００の上面と下面の一部が外部に露出する露出孔１１２、１２２が形成され、その両端には、第１及び第２の片部１１０、１２０の断面積よりも広く形成される拡大部１１４、１２４が設けられる。
ここで、上記した第３の実施の形態は、前記第２の実施の形態と同一であるので、これについての詳細な説明は省略する。
【００２６】
一方、前記露出孔１１２、１２２のうち前記第１の片部１１０に形成される露出孔１１２は、第１の片部１１０の長手方向に所定の長さを有して形成され、合計５個が形成されるが、第１の片部１１０の長手方向に等間隔で離隔して配列される。また、前記第２の片部１２０に形成される露出孔１２２は、第２の片部１２０の長手方向に長く形成され、前記露出孔１２２の内側には、４個のガイド突起１２６ａが第２の片部１２０の長手方向に等間隔で離隔して形成される。
この際、前記第１の片部１１０に設けられた露出孔１１２間には、前記露出孔１１２に結合されるＰＴＣ素子が発熱する際に発生するガスを排出するためのガス排出孔１１８が形成される。また、前記ガス排出孔１１８は、そのガスが外部に排出可能に、前記第１の片部１１０の拡大部１１４にも形成される。
【００２７】
ここで、前記第２の片部１２０の場合、その内部に形成される露出孔１２２は、相互連通するので、別途のガス排出孔が必要せず、但し、露出孔１２２に残るガスが外部に排出可能に、拡大部１２４にのみガス排出孔１２８が形成される。
これとは異なり、前記第２の片部１２０の向かい合う１対の第１のガイド突起１２６ａの間に、横木を形成し、前記露出孔１２２を複数個に区画する場合、前記横木にも、ガス排出孔が形成されることが好ましい。
【００２８】
前記本発明の実施の形態とは別途に、第１の片部または第２の片部のいずれか一つを、前記正極端子にインサート射出成形した後、それに対応する他の片部を別途に作製し、前記インサート射出されたいずれか一つの片部と結合させて、用いることもできる。
上述したような、本発明の好適な実施の形態によるＰＴＣヒータ用インシュレータの構成を、上記した説明及び図面により示したが、これは、例として説明したものに過ぎず、本発明の技術的思想を外れない範囲内において、様々な変化及び変更が可能であることを、この分野の通常的な技術者は、よく理解されるものであろう。
【図面の簡単な説明】
【００２９】
【図１Ａ】図１（Ａ）は、従来技術によるＰＴＣロッド組立体の斜視図でありる。
【図１Ｂ】図１（Ｂ）は、図１（Ａ）に示すＰＴＣロッド組立体の分解斜視図である。
【図２Ａ】図２（Ａ）は、本発明に係るＰＴＣヒータ用インシュレータの第１の実施の形態を示す斜視図である。
【図２Ｂ】図２（Ｂ）は、前記図２（Ａ）に示す前記第１の実施の形態の分解斜視図である。
【図３Ａ】図３（Ａ）は、本発明に係るＰＴＣヒータ用インシュレータの第２の実施の形態を示す斜視図である。
【図３Ｂ】図３（Ｂ）は、前記図３（Ａ）に示す前記第２の実施の形態の分解斜視図である。
【図４Ａ】図４（Ａ）は、本発明に係るＰＴＣヒータ用インシュレータの第３の実施の形態を示す斜視図である。
【図４Ｂ】図４（Ｂ）は、前記図４（Ａ）に示す前記第３の実施の形態の分解斜視図である。
【符号の説明】
【００３０】
１  ＰＴＣロッド組立体
１０  第１のＰＴＣロッド
２０  第２のＰＴＣロッド
３０  インシュレータ
３２、３４  各大部
４０  正極端子
５０  ＰＴＣ素子
６０  伝熱ブロック
１００  インシュレータ
１１０  第１の片部
１２０  第２の片部
１１２、１２２  露出孔
１１４、１２４  拡大部
１１６ａ  第１のガイド溝
１１６ｂ  第２のガイド溝
１１６ｃ  第３のガイド溝
１１８  ガス排出孔
１２６ａ  第１のガイド突起
１２６ｂ  第２のガイド突起
１２６ｃ  第３のガイド突起
１２８  ガス排出孔
２００  正極端子
２０２  ターミナル
２０６ａ  貫通溝
２０６ｃ  貫通孔
【図１Ａ】
2007142412.tif 000003
【図１Ｂ】
2007142412.tif 000004
【図２Ａ】
2007142412.tif 000005
【図２Ｂ】
2007142412.tif 000006
【図３Ａ】
2007142412.tif 000007
【図３Ｂ】
2007142412.tif 000008
【図４Ａ】
2007142412.tif 000009
【図４Ｂ】
2007142412.tif 000010